(57)【要約】      （修正有）【課題】誘引によりダニを効率よく捕捉することが可能になるとともに、ダニの死骸に起因するアレルゲンの発生を効果的に抑制することができるダニ捕捉シートを提供することを目的とする。【解決手段】ダニ捕捉シート１は、ダニを捕捉する粘着シート３と、粘着シート３上に設けられ、誘引剤を含有する樹脂シート４とを備える。樹脂シート４に、粘着シート３を露出するための複数の樹脂シート開口部５が形成されている。【選択図】図１
2017158456.tif 000002
【特許請求の範囲】
【請求項１】
ダニを捕捉する粘着シートと、
前記粘着シート上に設けられ、誘引剤を含有する樹脂シートと
を備えるダニ捕捉シートであって、
前記樹脂シートに、前記粘着シートを露出するための複数の開口部が形成されていること特徴とするダニ捕捉シート。
【請求項２】
平面視において、前記粘着シートの全体の面積をＳ１、前記開口部から露出する前記粘着シートの面積をＳ２とした場合に、０．２≦Ｓ２／Ｓ１≦０．９５の関係が成立することを特徴とする請求項１に記載のダニ捕捉シート。
【請求項３】
平面視において、前記開口部が略円形状を有しており、
前記樹脂シートの厚みをＴ、前記開口部の平均開口径をＲとした場合に、０．３≦Ｔ／Ｒ≦１．０の関係が成立することを特徴とする請求項１または請求項２に記載のダニ捕捉シート。
【請求項４】
前記誘引剤は、前記樹脂シートに練り込まれていることを特徴とする請求項１〜請求項３のいずれか１項に記載のダニ捕捉シート。
【請求項５】
前記樹脂シートがメッシュ形状を有することを特徴とする請求項１〜請求項４のいずれか１項に記載のダニ捕捉シート。
【請求項６】
前記誘引剤が、シトラール、プロピオン酸ゲラニル、ギ酸ネリル、ギ酸ゲラニル、リモネン、フルーツエキス、不飽和脂肪酸、γ-アカリジアール、ペンタデカン、ヘプタデカジエン、ペンタジエン、及びギ酸２-ホルミル３-ヒドロキベンジルからなる群より選択される少なくとも一種であることを特徴とする請求項１〜請求項５のいずれか１項に記載のダニ捕捉シート。
【発明の詳細な説明】
【技術分野】
【０００１】
本発明は、ダニを誘引し、粘着面により捕捉するダニ捕捉シートに関する。
【背景技術】
【０００２】
従来、生活空間の中で、特に布団や枕などの寝装具、カーペット、クッション、ペットマットなどには多数のダニが繁殖しており、このダニを誘引・捕捉するためのダニ捕捉シートが提案されている。
【０００３】
例えば、ダニ誘引剤と粘着剤とを含有する誘引層の表面に、不織布からなる外シート層を貼り合せたダニ捕捉シートが提案されている（例えば、特許文献１参照）。また、外側シートにより形成された袋体の内部に、粘着層と誘引剤が収納され、粘着層と外側シートとの間に通気性シートが設けられたダニ捕捉シートが提案されている（例えば、特許文献２参照）。
【０００４】
また、多孔質材料の表面に誘引香料を含浸させ、その表面を熱処理して誘引香料に含まれる香料成分を溶融化して多孔質材料の表面及び多孔質材料の多数の微細孔の内部に誘引香料膜が形成されたダニ誘引殺虫体を備えたダニ捕獲器が提案されている（例えば、特許文献３参照）。
【０００５】
また、ダニ誘引物質と、ダニ誘引物質を囲むフィルム袋体と、フィルム袋体の内部に空間を形成する緩衝体とを備えたダニ捕集マットが提案されている。このフィルム袋体は、その内部が暗所になっており、フィルムを貫通する多数の小穴が形成されている。そして、ダニの背光性を利用し、フィルムに形成された小穴を介して、ダニを暗所（内部）に誘引し、乾燥剤により死滅させる（例えば、特許文献４参照）。
【先行技術文献】
【特許文献】
【０００６】
【特許文献１】特開２００２−２５３１０３号公報
【特許文献２】特開２００８−１６１１０２号公報
【特許文献３】特開２０１３−２５２１０２号公報
【特許文献４】特開２０１５−０２９４３３号公報
【発明の概要】
【発明が解決しようとする課題】
【０００７】
しかし、上記特許文献１，２に記載のダニ捕捉シートにおいては、粘着面の大部分が外シート層により覆われているため、粘着によるダニの捕捉が制限されるという問題があった。
【０００８】
また、上記特許文献３に記載のダニ捕捉シートにおいては、ある程度のダニは捕捉されるものの、ダニの死骸やフンが蓄積されてしまい、アレルゲンの発生源となる懸念がある。
【０００９】
また、上記特許文献４に記載のダニ捕集マットは、光の当たらない暗所に設置する必要があるため、背光性の効果が低く、また、ダニは低湿度を嫌う性質があるため、誘因効果が十分に発揮されず、結果として、ダニの捕捉が制限されるという問題があった。
【００１０】
そこで、本発明は、上述の問題に鑑みてなされたものであり、ダニを効率よく捕捉することが可能になるとともに、ダニの死骸に起因するアレルゲンの発生を効果的に抑制することができるダニ捕捉シートを提供することを目的とする。
【課題を解決するための手段】
【００１１】
上記目的を達成するために、本発明のダニ捕捉シートは、ダニを捕捉する粘着シートと、粘着シート上に設けられ、誘引剤を含有する樹脂シートとを備えるダニ捕捉シートであって、樹脂シートに、粘着シートを露出するための複数の開口部が形成されていること特徴とする。
【発明の効果】
【００１２】
本発明によれば、開口部から露出する粘着シートにより、誘引されたダニを効率よく捕捉することが可能になる。また、ダニの死骸に起因するアレルゲンの発生を効率よく抑制することが可能になる。
【図面の簡単な説明】
【００１３】
【図１】本発明の実施形態に係るダニ捕捉シートを示す平面図である。
【図２】本発明の実施形態に係るダニ捕捉シートを示す断面図であり、図１のＡ−Ａ断面図である。
【図３】本発明の実施形態に係るダニ捕捉シートの変形例を示す断面図である。
【図４】本発明の実施形態に係るダニ捕捉シートにおける開口部の変形例を示す平面図である。
【図５】本発明の実施形態に係るダニ捕捉シートの変形例を示す断面図である。
【図６】本発明の実施形態に係るダニ捕捉シートの変形例を示す断面図である。
【図７】本発明の実施形態に係るダニ捕捉シートの変形例を示す断面図である。
【発明を実施するための形態】
【００１４】
以下、本発明の実施形態を図面に基づいて詳細に説明する。尚、本発明は、以下の実施形態に限定されるものではない。
【００１５】
＜ダニ捕捉シート＞
図１は、本発明の実施形態に係るダニ捕捉シートを示す平面図であり、図２は、本発明の実施形態に係るダニ捕捉シートを示す断面図であり、図１のＡ−Ａ断面図である。
【００１６】
本実施形態のダニ捕捉シート１は、基材２と、基材２上に設けられた粘着シート３と、粘着シート３上に設けられた樹脂シート４とを備えている。
【００１７】
このダニ捕捉シート１の大きさは、使用用途に応じて、適宜、設定することができ、特に限定されないが、例えば、押し入れの布団の間に差し込んで使用する場合、長さと幅をそれぞれ１ｃｍから１００ｃｍとしてもよく、取扱い性や廃棄の際の手間も考慮して、５ｃｍから５０ｃｍが好ましく、１０ｃｍから３０ｃｍがさらに好ましい。また、敷き布団やラグタイプカーペットの下に敷く場合、５０ｃｍから２ｍの範囲なら、敷き布団やラグタイプカーペットとほぼ同じ大きさとして使用でき、全面を網羅する形で設置することができるため好ましい。さらに、畳の下や、フロアの全面を覆うカーペットの下に設置する場合は、さらに大きいサイズとすることもでき、例えば１ｍから５０ｍの範囲で設定し、これを複数枚、設置することもできる。
【００１８】
また、ダニは暗所を好むため、黒、または暗色系の色を有することが好ましい。
【００１９】
また、捕捉対象となるダニの種類は、特に限定されないが、本実施形態のダニ捕捉シート１は、コナヒョウダニ、チリダニ、イエササラダニ、及びツメダニ等の屋内ダニを効率よく捕捉することができる。
【００２０】
＜基材＞
基材２は、粘着シート３を均等に保持し、シートとして取り扱いが可能な強度を付与するためのものである。この基材２を構成する材料としては、例えば、セルロース系の紙や、ポリエステル樹脂、ポリアミド樹脂、ポリ塩化ビニル樹脂・ポリオレフィン樹脂、アクリル樹脂などの熱可塑性樹脂からなるフィルムや、不織布、織生地、及び編み生地等を用いることができる。
【００２１】
この基材２としては、柔軟で薄く、粘着剤との接着性がよく、粘着剤に使用する溶剤に対して耐久性があり、寸法安定性がよいものが使用される。
【００２２】
＜粘着シート＞
粘着シート３は、粘着面により、ダニを捕捉するためのものであり、ダニを捕捉するのに適切な粘着性を有していれば特に制限されない。例えば、アクリル系、ゴム系、ＳＩＳブロック系、シリコン系の粘着剤により形成することができる。なお、これらの粘着剤は単独で用いてもよく、２種以上を併用してもよい。
【００２３】
なお、粘着シート３の粘着力は高い方がよく、粘着後、半永久的に被着体に接着する永久接着タイプが好ましい。一定期間、貼り付け後に剥がすことを目的とする再剥離タイプの粘着シートは、比較的、粘着性が劣るため、好ましくない。
【００２４】
＜樹脂シート＞
樹脂シート４は、ダニを誘引して、上記粘着面へと導く役割を有するものであり、樹脂シート４には、ダニを誘引するための誘引剤が含まれている。この誘引剤としては、一般にダニを誘引する効果を有するものであれば特に制限はなく、例えば、シトラール、プロピオン酸ゲラニル、ギ酸ネリル、ギ酸ゲラニル、リモネン、フルーツエキス、不飽和脂肪酸、γ-アカリジアール、ペンタデカン、ヘプタデカジエン、ペンタジエン、及びギ酸２-ホルミル３-ヒドロキベンジルなどから選ぶことができる。特に、ゲラニアールとその構造異性体であるネラールからなるシトラールは、ダニの集合フェロモンとして知られており、効果的にダニを誘引することができる。
【００２５】
また、樹脂シート４を形成する樹脂としては、特に限定されないが、誘引剤を徐々に放出し、樹脂シート４の全体でダニを効率よく誘引するとの観点から、ポリプロピレン樹脂、ポリエチレン樹脂、及びエチレン・酢酸ビニル共重合樹脂等の熱可塑性樹脂を使用することが好ましい。
【００２６】
また、図１、図２に示すように、樹脂シート４には、複数の樹脂シート開口部（以下、単に「開口部」という。）５が形成されており、樹脂シート４はメッシュ形状を有している。そして、開口部５を介して、粘着シート３の一部が露出するように構成され、開口部５と、開口部５から露出する粘着シート３により、ダニ捕捉領域７が形成されている。
【００２７】
また、本実施形態のダニ捕捉シート１においては、平面視（即ち、図１に示す平面図の状態）における、粘着シート３の全体の面積をＳ１、開口部５から露出する粘着シート３の面積をＳ２とした場合に、０．２≦Ｓ２／Ｓ１≦０．９５の関係が成立することが好ましい。これは、Ｓ２／Ｓ１が０．２未満の場合は、開口部５から露出する粘着シート３の面積が少なくなるため、ダニの捕捉効率が低下するためである。また、Ｓ２／Ｓ１が０．９５より大きい場合は、開口部５から露出する粘着シート３の面積が大きくなり過ぎるため、例えば、ユーザーが、誤って、開口部５から露出する粘着面に触れてしまい、皮膚が粘着面に粘着される場合や、クッションや敷布団の下に設置して使用する際に、繊維が粘着面に粘着される場合があり、ダニ捕捉シート１の取り扱い性が低下するとともに、有効な粘着面が減少する場合があるためである。即ち、０．２≦Ｓ２／Ｓ１≦０．９５に設定することにより、使用感の低下、及び取り扱い性の低下という不都合を生じることなく、ダニを効率よく捕捉することが可能になる。
【００２８】
また、本実施形態のダニ捕捉シート１においては、図１、図２に示すように、平面視において、開口部５が略円形状を有しており、樹脂シート４の厚みをＴ、開口部５の平均開口径をＲとした場合に、０．３≦Ｔ／Ｒ≦１．０の関係が成立することが好ましい。
【００２９】
これは、Ｔ／Ｒが０．３未満の場合は、平均開口径Ｒに対して樹脂シート４の厚みＴが相対的に小さくなるため、皮膚や繊維が粘着面に粘着される場合があり、ダニ捕捉シート１の取り扱い性が低下するとともに、有効な粘着面が減少する場合があるためである。また、Ｔ／Ｒが１．０より大きい場合は、平均開口径Ｒに対して樹脂シート４の厚みＴが相対的に大きくなるため、樹脂シート４が、硬く、柔軟性に欠けるものになり、本実施形態のダニ捕獲シート１を、例えば、クッションや敷布団の下に設置して使用する際に、使用感が低下する場合があるためである。即ち、０．３≦Ｔ／Ｒ≦１．０に設定することにより、使用感の低下、及び取り扱い性の低下という不都合を生じることなく、ダニを効率よく捕捉することが可能になる。
【００３０】
なお、ここで言う「平均開口径」とは、平面視において、略円形状を有する複数の開口部５の各々における直径の平均値のことを言う。
【００３１】
また、開口部５の平均開口径Ｒの範囲は、各開口部５により、上述の屋内ダニ（体長：５０〜２００μｍ）を効率よく捕捉し、さらに既に捕捉されたダニに誘引されて他のダニも捕捉できる大きさが必要であるとの観点から、０．５ｍｍ以上２０ｍｍ以下に設定することが好ましく、１．０ｍｍ以上５ｍｍ以下に設定することが、より好ましい。
【００３２】
また、樹脂シート４の厚みＴの範囲は、上述のＴ／Ｒの適正範囲を確保するとともに、ダニ捕捉シート１を使用する際に適切な柔軟性を確保するとの観点から、０．５ｍｍ以上３．０ｍｍ以下に設定することが好ましい。
【００３３】
このように、本実施形態のダニ捕捉シート１においては、樹脂シート４に練り込まれた誘引剤が、ダニ捕捉シート１の全体から蒸散し、効率的にダニを誘引することができる。
【００３４】
また、本実施形態のダニ捕捉シート１においては、樹脂シート４に、粘着シート３を露出するための複数の開口部５が形成されているため、開口部５から露出する粘着シート３により、樹脂シート４に含まれる誘引剤により誘引されたダニを効率よく捕捉することが可能になる。
【００３５】
また、本実施形態においては、樹脂シート４がメッシュ形状を有しているため、樹脂シート４において、多数の開口部５を形成することが可能になる。その結果、粘着シート３によるダニの捕捉数を増加させることが可能になる。
【００３６】
また、誘引されたダニは、メッシュ形状を有する樹脂シート４上を動き回り、やがて開口部５から露出する粘着面に捕捉されるが、捕捉されたダニからも誘引剤が拡散する。ダニはダニを食べることが知られており、捕捉されたダニに対して、別のダニが誘引されて粘着面に落ち込み、連鎖的に捕捉されることになる。
【００３７】
また、捕捉されたダニが産卵する場合もあるが、その卵、及び孵化するダニも粘着面に捕捉される。さらに、ダニの死後もダニは粘着面に捕捉されたままであり、死に至るまでに排泄したフンや、死後の分解物からなるアレルゲンも、引き続き、粘着面に捕捉されたままになり、アレルゲンの発生を効率よく抑制することが可能になる。
【００３８】
さらに、本実施形態においては、樹脂シート４がメッシュ形状を有しているため、適度な柔軟性と、ある程度の硬さを兼ね備えたダニ捕捉シート１を提供することができる。従って、押入れの布団の隙間や、マットの下の隙間などにセットする際に、容易に差し込み、設置することができる。
【００３９】
（ダニ捕捉シートの製造方法）
次に、本実施形態のダニ捕捉シートの製造方法の一例を説明する。
【００４０】
まず、樹脂シート４を形成する樹脂に誘引剤を練り込むことにより、誘引剤を含有するとともに、複数の開口部５が形成されたメッシュ形状を有する樹脂シート４を作製する。ここで、誘引剤を樹脂に練り込む方法としては、特に限定されず、公知の方法を用いることができる。例えば、多孔質の無機微粒子に誘引剤を担持させたものを樹脂に練り込む方法や、膨潤性の高い樹脂に高濃度の誘引剤を吸収させたものを添加する方法を採用することができる。
【００４１】
また、例えば、特許第３９６３９４１号に記載の方法を用いて、高濃度の誘引剤を樹脂に練り込んだマスターバッチを作製し、このマスターバッチを、樹脂シート４を形成する樹脂に練り込む方法を採用することもできる。
【００４２】
そして、このように誘引剤を樹脂シート４に練り込むことにより、誘引剤自体がダニのエサにならないため、捕捉後のダニの増殖を抑制して、アレルゲンの増加を回避することが可能になる。
【００４３】
なお、樹脂シート４の全体に対する誘引剤の含有量は、樹脂シート４からの徐放によって、樹脂シート４の周囲における誘引剤の濃度が、ダニを誘引することができる濃度に達し、この濃度が３ヶ月以上保持できる量以上であれば特に制限されない。ただし、過剰量含有すると、使用時の臭気の問題が発生する場合があり、コスト的にも不利となる。
【００４４】
以上より、臭気の発生、及びコストアップを抑制するとともに、ダニを効率よく誘引するとの観点から、樹脂シート４の全体に対する誘引剤の含有量は、０．０１質量％以上５質量％以下が好ましく、０．１質量％以上１質量％以下がより好ましい。
【００４５】
次に、粘着シート３を準備し、粘着シート３の一方の面に、基材２を貼り合わせるとともに、他方の面に、作製した樹脂シート４を貼り合わせる。そして、基材２、粘着シート３、及び樹脂シート４が貼り合わされた積層体を、所望のサイズに加工することにより、図１に示すダニ捕捉シート１を作製することができる。
【００４６】
なお、上記実施形態は以下のように変更しても良い。
【００４７】
上記実施形態においては、粘着シート３の片面に、開口部５を有する樹脂シート４が設けられたダニ捕捉シート１を例に挙げて説明したが、本発明は、図３に示すように、基材２の両面に粘着シート３を設け、各粘着シート３の表面（即ち、基材２側と反対側の表面）に、開口部５を有する樹脂シート４が設けられたダニ捕捉シート１０にも適用できる。即ち、本発明は、粘着シート３の少なくとも一方の表面に樹脂シート４が設けられたダニ捕捉シートに適用することができる。
【００４８】
また、上記実施形態においては、平面視において、略円形状を有する開口部５を例に挙げて説明したが、平面視における開口部５の形状は、特に限定されず、略多角形状（例えば、図４に示すような略矩形状や、略三角形状）、略楕円形状等であってもよい。
【００４９】
なお、図４に示す略矩形状を有する開口部５における平均開口径とは、平面視において、各開口部５の対角線Ｄの長さのうち、最大長さと最少長さとの平均値のことを言う。また、開口部が略三角形状の場合には、平面視において、底辺と高さとの平均値とすることができる。また、開口部が略楕円形状の場合には、平面視において、最大径と最少径との平均値とすることができる。
【００５０】
また、上記実施形態においては、図２に示すように、断面略矩形状を有する開口部５を例に挙げて説明したが、開口部５の断面形状は、特に限定されず、例えば、図５に示すように、粘着シート３側の形状が断面略円弧形状であってもよい。
【００５１】
このような構成により、開口部５から露出する粘着シート３の面積が増加するため、誘引されたダニをより一層効率よく捕捉することが可能になる。
【００５２】
さらに、開口部５の形状が断面略円弧形状や、上底より下底が短い台形である場合には、開口部の下側はオーバーハング状態となるため、この表面を伝って歩くダニが粘着面近傍に接近した場合、その背中や側部が粘着面に接触し易くなるため、粘着面により、より効率的にダニを捕捉し易くなる。
【００５３】
また、ダニ捕捉シート１の周縁部を保護するとの観点から、図６に示すように、ダニ捕捉シート１の周縁部にカバー部材８を設ける構成としてもよく、図７に示すように、ケース開口部９が形成されたケース１２内に、ダニ捕捉シート１を収納する構成としてもよい。
【００５４】
また、ダニ捕捉シート１の粘着面に、微細な繊維が付着することを防止するために、その表面を、ダニが自由に通り抜ける、５０μｍ以上の目開きのある比較的薄い布帛で覆うこともできる。
【実施例】
【００５５】
以下に、本発明を実施例に基づいて説明する。なお、本発明は、これらの実施例に限定されるものではなく、これらの実施例を本発明の趣旨に基づいて変形、変更することが可能であり、それらを本発明の範囲から除外するものではない。
【００５６】
（実施例１）
（ダニ捕捉シートの作製）
まず、特許第３９６３９４１に記載の方法に基づき、ポリプロピレン（Ｊ−１０８Ｍ：日本ポリプロ（株）製）とセプトン（ＳＥＰＳ２０１４：（株）クラレ製）とシトラール（大槻香料（株）製）を６０／２０／２０の質量比率にて２軸混練機を用いて練り込みを行い、ストランド化、カットして、シトラールを２０重量％含有するポリプロピレンをベースとしたマスターバッチペレットを作製した。
【００５７】
次に、ポリプロピレン製のメッシュ成形品（大日本プラスチック（株）製、商品名：Ｐ−ＤＭ２、黒タイプ）を製造する際に供給されるポリプロピレン樹脂中に、作製したマスターバッチを２質量％配合し、シトラールが０．４％質量練り込まれたポリプロピレン製の樹脂シートを得た。なお、樹脂シートの厚みは１．０ｍｍ、開口部の平均開口径は２．８ｍｍであり、厚み／平均開口径＝０．３６であった。
【００５８】
次に、作製した樹脂シートを、アクリル系の両面粘着シート（東洋コーティング（株）製、商品名：ＴＣ５５１０）の両面に貼り合せた後、１２ｃｍ×１８ｃｍの長方形状に切断し、ダニ捕捉シートを作製した。
【００５９】
なお、平面視における、粘着シートの全体の面積に対する、開口部から露出する粘着シートの面積の割合は５７％であった。
【００６０】
（捕捉評価）
次に、コナヒョウヒダニの培養地上に、市販の綿生地２枚を敷き、この上に作製したダニ捕捉シートを載置し、電子顕微鏡を用いて、６４時間後のダニの捕捉数を確認したところ、大量（２７８,３９０匹）のダニが捕捉されていた。
【００６１】
（実施例２）
（ダニ捕捉シートの作製）
ポリプロピレン製のメッシュ成形品（大日本プラスチック（株）製、商品名：ＤＳＸ３２１）を製造する際に供給されるポリプロピレン樹脂中に、実施例１において作製したマスターバッチを２質量％配合し、シトラールが０．４％質量練り込まれたポリプロピレン製の樹脂シートを得た。なお、樹脂シートの厚みは０．８ｍｍ、開口部の平均開口径は４．１ｍｍであり、厚み／平均開口径＝０．２０であった。
【００６２】
次に、作製した樹脂シートを、実施例１と同様に、アクリル系の両面粘着シート（東洋コーティング（株）製、商品名：ＴＣ５５１０）の両面に貼り合せた後、１２ｃｍ×１８ｃｍの長方形状に切断し、ダニ捕捉シートを作製した。
【００６３】
なお、平面視における、粘着シートの全体の面積に対する、開口部から露出する粘着シートの面積の割合は７８％であった。
【００６４】
（捕捉評価）
次に、実施例１と同様にして、６４時間後のダニの捕捉数を確認したところ、多数のダニが捕捉されていた（５６,０６０匹）が、実施例１の捕捉数より少なかった。
【００６５】
これは、実施例２においては、開口部から露出する粘着シートの面積の割合が７８％と大きいものの、厚み／平均開口径が０．３よりも小さいため、露出割合の大きい粘着面の一部に皮膚や繊維が粘着し、結果として、有効な粘着面が減少したためであると考えられる。
【００６６】
しかしながら、実施例２においても、多数のダニが捕捉されており、誘引されたダニを効率よく捕捉できると言える。
【００６７】
（実施例３）
（ダニ捕捉シートの作製）
ポリプロピレン製のメッシュ成形品（大日本プラスチック（株）製）を製造する際に供給されるポリプロピレン樹脂中に、実施例１において作製したマスターバッチを２質量％配合し、シトラールが０．４％質量練り込まれたポリプロピレン製の樹脂シートを得た。なお、樹脂シートの厚みは１．１ｍｍ、開口部の平均開口径は１．０ｍｍであり、厚み／平均開口径＝１．１であった。
【００６８】
次に、作製した樹脂シートを、実施例１と同様に、アクリル系の両面粘着シート（東洋コーティング（株）製、商品名：ＴＣ５５１０）の両面に貼り合せた後、１２ｃｍ×１８ｃｍの長方形状に切断し、ダニ捕捉シートを作製した。
【００６９】
なお、平面視における、粘着シートの全体の面積に対する、開口部から露出する粘着シートの面積の割合は１５％であった。
【００７０】
（捕捉評価）
次に、実施例１と同様にして、６４時間後のダニの捕捉数を確認したところ、ダニが捕捉されていた（５,１１７匹）が、実施例１の捕捉数より少なかった。
【００７１】
これは、実施例３においては、厚み／平均開口径が１．０よりも大きいためであり、さらに開口部から露出する粘着シートの面積の割合が１５％と低いためであると考えられる。
【００７２】
しかしながら、実施例３においても、ダニの捕捉効果があることが確認できた。
【００７３】
（実施例４）
（ダニ捕捉シートの作製）
ポリプロピレン製のメッシュ成形品（大日本プラスチック（株）製）を製造する際に供給されるポリプロピレン樹脂中に、実施例１において作製したマスターバッチを２質量％配合し、シトラールが０．４％質量練り込まれたポリプロピレン製の樹脂シートを得た。なお、樹脂シートの厚みは３．６ｍｍ、開口部の平均開口径は２．９ｍｍであり、厚み／平均開口径＝１．２４であった。
【００７４】
次に、作製した樹脂シートを、実施例１と同様に、アクリル系の両面粘着シート（東洋コーティング（株）製、商品名：ＴＣ５５１０）の両面に貼り合せた後、１２ｃｍ×１８ｃｍの長方形状に切断し、厚みが７．５ｍｍのダニ捕捉シートを作製した。
【００７５】
なお、平面視における、粘着シートの全体の面積に対する、開口部から露出する粘着シートの面積の割合は４５％であった。
【００７６】
（捕捉評価）
次に、実施例１と同様にして、６４時間後のダニの捕捉数を確認したところ、多数のダニが捕捉されており（１６８,５３０匹）、効率よくダニを捕捉できた。
【００７７】
なお、厚みが７．５ｍｍであり、厚み／平均開口径が１．０よりも大きいため、ダニ捕捉シートの柔軟性が低下し、布団の下に敷くと、若干、使用感が低下した。
【産業上の利用可能性】
【００７８】
以上説明したように、本発明は、ダニを誘引し、粘着面により捕捉するダニ捕捉シートに、特に、有用である。
【符号の説明】
【００７９】
１    ダニ捕捉シート
２    基材
３    粘着シート
４    樹脂シート
５    樹脂シート開口部（開口部）
７    ダニ捕獲領域
８    カバー部材
９    ケース開口部
１０    ダニ捕捉シート
１２    ケース
Ｒ    開口部の平均開口径
Ｓ１    平面視における、粘着シートの全体の面積
Ｓ２    平面視において、開口部から露出する粘着シートの面積
Ｔ    樹脂シートの厚み
【図１】
2017158456.tif 000003
【図２】
2017158456.tif 000004
【図３】
2017158456.tif 000005
【図４】
2017158456.tif 000006
【図５】
2017158456.tif 000007
【図６】
2017158456.tif 000008
【図７】
2017158456.tif 000009